(57)【要約】【課題】光軸に対して光を大きくシフトさせる場合に小型な構成とすることが可能な投写光学系、及びプロジェクタを提供すること。【解決手段】光を投写させる投写光学系１０であって、光軸ＡＸを略一致させて配置された光学素子であるレンズＬＮと、光軸ＡＸに関して特定の側から光軸ＡＸに向かって進行する光を特定の側へ反射させる反射部１３と、を有し、光学素子及び反射部１３は、光軸ＡＸに関して特定の側から入射する光を、光軸ＡＸに関して特定の側へシフトさせて進行させる。【選択図】図１
2008145728.tif 000002
【特許請求の範囲】
【請求項１】
光を投写させる投写光学系であって、
光軸を略一致させて配置された光学素子と、
前記光軸に関して特定の側から前記光軸に向かって進行する光を前記特定の側へ反射させる反射部と、を有し、
前記光学素子及び前記反射部は、前記光軸に関して前記特定の側から入射する光を、前記光軸に関して前記特定の側へシフトさせて進行させることを特徴とする投写光学系。
【請求項２】
前記反射部は、前記光軸と光線とが交わる位置において光を反射させることを特徴とする請求項１に記載の投写光学系。
【請求項３】
前記反射部は、前記光軸と光線とが交わる位置に配置された光学素子に設けられることを特徴とする請求項２に記載の投写光学系。
【請求項４】
前記反射部は、絞りの位置に設けられることを特徴とする請求項１〜３のいずれか一項に記載の投写光学系。
【請求項５】
前記光軸を略一致させて配置された光学素子以外の光学素子を有することを特徴とする請求項１〜４のいずれか一項に記載の投写光学系。
【請求項６】
画像信号に応じて光を変調する空間光変調装置と、
請求項１〜５のいずれか一項に記載の投写光学系と、を有することを特徴とするプロジェクタ。
【請求項７】
前記投写光学系は、光軸を略一致させて配置された光学素子と、前記光軸に関して特定の側から前記光軸に向かって進行する光を前記特定の側へ反射させる反射部と、を有し、
前記空間光変調装置は、前記光軸に関して前記特定の側に配置されることを特徴とする請求項６に記載のプロジェクタ。
【請求項８】
前記投写光学系からの光を広角化させる広角化光学素子を有することを特徴とする請求項６又は７に記載のプロジェクタ。
【発明の詳細な説明】
【技術分野】
【０００１】
本発明は、投写光学系及びプロジェクタ、特に、プロジェクタに用いられる投写光学系の技術に関する。
【背景技術】
【０００２】
従来、プロジェクタに用いられる投写光学系として、光軸に対して光を特定の側へシフトさせて進行させる、いわゆるシフト光学系（軸ずらし光学系）が提案されている（例えば、特許文献１図８参照。）。例えばフロント投写型のプロジェクタの場合、シフト光学系により被照射面に対して斜めに光を投写させることで、観察者から見てプロジェクタ本体が画像の一部を遮ることを回避できる等の利点がある。
【０００３】
【特許文献１】特開平５−２４１０９６号公報
【発明の開示】
【発明が解決しようとする課題】
【０００４】
近年、フロント投写型のプロジェクタにより近接投写を行う技術が提案されている。近接投写を可能とすることで、被照射面を有する壁面に近い位置にプロジェクタを配置することが可能となる。近接投写を行う場合、投写光学系は、光軸に対して光を大きくシフトさせる構成となる。シフト量が大きくなる場合、投写光学系を構成するレンズの径を大きくすることとなる。レンズ、特に投写光学系のうち最も出射側のレンズの径が大きくなることで、プロジェクタを小型にすることが非常に困難となる。このように、従来の技術によると、光軸に対して光を大きくシフトさせる場合に小型な構成とすることが困難であるという問題を生じる。本発明は、上述の問題に鑑みてなされたものであり、光軸に対して光を大きくシフトさせる場合に小型な構成とすることが可能な投写光学系、及びプロジェクタを提供することを目的とする。
【課題を解決するための手段】
【０００５】
上述した課題を解決し、目的を達成するために、本発明によれば、光を投写させる投写光学系であって、光軸を略一致させて配置された光学素子と、光軸に関して特定の側から光軸に向かって進行する光を特定の側へ反射させる反射部と、を有し、光学素子及び反射部は、光軸に関して特定の側から入射する光を、光軸に関して特定の側へシフトさせて進行させることを特徴とする投写光学系を提供することができる。
【０００６】
光軸に関して特定の側から入射した光は、反射部で反射した後、光軸に関して特定の側へシフトして進行する。光軸を含む面上に反射部を設ける場合、光学素子のうち光軸に関して特定の側とは反対側の部分が不要となる。かかる不要部分を省略することで、光軸に対して大きく光をシフトさせる場合であっても投写光学系を小型にすることが可能となる。これにより、光軸に対して光を大きくシフトさせる場合に小型な構成とすることが可能な投写光学系を得られる。また、光学素子であるレンズのうち光軸に対して特定の側のみを使用する場合、１つのレンズ材料から２つのレンズを形成することを可能として、製造コストを低減できる。光学性能を向上させるために光学素子を若干大型としても、従来と比較して依然小型にできることから、光学性能の向上を容易に図れる。
【０００７】
また、本発明の好ましい態様としては、反射部は、光軸と光線とが交わる位置において光を反射させることが望ましい。これにより、光軸に関して特定の側から光軸に向かって進行する光を特定の側へ反射させることができる。
【０００８】
また、本発明の好ましい態様としては、反射部は、光軸と光線とが交わる位置に配置された光学素子に設けられることが望ましい。これにより、光軸と光線とが交わる位置に光学素子が配置された構成において、光軸に関して特定の側から光軸に向かって進行する光を特定の側へ反射させることができる。
【０００９】
また、本発明の好ましい態様としては、反射部は、絞りの位置に設けられることが望ましい。これにより、絞りの位置において、光軸に関して特定の側から光軸に向かって進行する光を特定の側へ反射させることができる。
【００１０】
また、本発明の好ましい態様としては、光軸を略一致させて配置された光学素子以外の光学素子を有することが望ましい。これにより、所望の光学性能を備えた構成とすることができる。
【００１１】
さらに、本発明によれば、画像信号に応じて光を変調する空間光変調装置と、上記の投写光学系と、を有することを特徴とするプロジェクタを提供することができる。上記の投写光学系を用いることで、光軸に対して光を大きくシフトさせる場合に小型な構成とすることが可能となる。これにより、光軸に対して光を大きくシフトさせる場合に小型な構成のプロジェクタを得られる。
【００１２】
また、本発明の好ましい態様としては、投写光学系は、光軸を略一致させて配置された光学素子と、光軸に関して特定の側から光軸に向かって進行する光を特定の側へ反射させる反射部と、を有し、空間光変調装置は、光軸に関して特定の側に配置されることが望ましい。これにより、光軸に関して特定の側から投写光学系へ光を入射させることができる。
【００１３】
また、本発明の好ましい態様としては、投写光学系からの光を広角化させる広角化光学素子を有することが望ましい。広角化光学素子とは、入射光の角度範囲に対して広い角度範囲の光を出射させる光学素子を指すものとする。広角化光学素子を用いることで、超短焦点の投写光学系による近接投写を可能にできる。超短焦点、かつ光軸に対して光を大きくシフトさせる構成において、小型な構成とすることができる。
【発明を実施するための最良の形態】
【００１４】
以下に図面を参照して、本発明の実施例を詳細に説明する。
【実施例１】
【００１５】
図１は、本発明の実施例１に係る投写光学系１０の要部断面構成を示す。投写光学系１０は、透過により光を偏向させる光学素子であるレンズを備える投写レンズである。投写光学系１０は、前群レンズ１１及び後群レンズ１２により構成される。前群レンズ１１は、絞り１４の出射側に設けられている。後群レンズ１２は、絞り１４の入射側に設けられている。前群レンズ１１は、３つのレンズＬＮにより構成されている。後群レンズ１２は、５つのレンズＬＮにより構成されている。前群レンズ１１を構成する各レンズＬＮ、後群レンズ１２を構成する各レンズＬＮは、光軸を略一致させて配置された光学素子である。投写光学系１０は、いわゆる共軸光学系である。前群レンズ１１を構成する各レンズＬＮ、後群レンズ１２を構成する各レンズＬＮは、いずれも光軸ＡＸに関して特定の側、図１中紙面上側に配置されている。
【００１６】
反射部１３は、絞り１４の位置であって光軸ＡＸを含む面上に設けられている。反射部１３は、光軸ＡＸに関して特定の側から光軸ＡＸに向かって進行する光を特定の側へ反射させる。反射部１３は、平行平板に高反射性部材、例えばアルミニウム等の金属部材や誘電体多層膜等をコーティングすることで構成できる。
【００１７】
図２は、従来の投写光学系の構成例を示す。前群レンズ２１及び後群レンズ２２は、いずれも、レンズＬＮの中心位置と光軸ＡＸとを略一致させて設けられている。後群レンズ２２へは、光軸ＡＸに関して特定の側とは反対側、図１中紙面下側から光を入射させる。後群レンズ２２からの光線は、絞り１４の位置で光軸ＡＸと交わる。前群レンズ２１においては、光は光軸ＡＸに関して特定の側を進行する。
【００１８】
図１に戻って、本発明の投写光学系１０は、図２に示す構成のうち光軸ＡＸより特定の側半分に相当する部分が用いられる。そのため、前群レンズ１１及び後群レンズ１２は、レンズの中心位置を通る平面に沿ってレンズを切断したような形状となっている。具体的には、図１に示す前群レンズ１１は、図２に示す前群レンズ２１を、前群レンズ２１の中心位置を通る平面に沿って切断したような形状となっている。また、図１に示す後群レンズ１２は、図２に示す後群レンズ２２を、後群レンズ２２の中心位置を通る平面に沿って切断した形状となっている。投写光学系１０は、光軸ＡＸに対して特定の側から光を入射させる。後群レンズ１２において光軸ＡＸより特定の側を進行した光は、光軸ＡＸと光線とが交わる位置において反射部１３へ入射する。反射部１３は、光軸ＡＸと光線とが交わる位置において光を反射させる。
【００１９】
反射部で反射した光は、前群レンズ１１において光軸ＡＸより特定の側を進行した後、投写光学系１０から出射する。このように、光学素子であるレンズＬＮ及び反射部１３は、光軸ＡＸに関して特定の側から入射する光を、光軸ＡＸに関して特定の側へシフトさせて進行させる。
【００２０】
本発明の投写光学系１０は、反射部１３を設けることで、レンズＬＮのうち光軸ＡＸに関して特定の側とは反対側の部分が不要となる。かかる不要部分を省略することで、光軸ＡＸに対して大きく光をシフトさせる場合であっても、投写光学系１０を小型にすることが可能となる。これにより、光軸ＡＸに対して光を大きくシフトさせる場合に小型な構成とすることができるという効果を奏する。また、レンズＬＮのうち光軸に対して特定の側のみを使用することで、１つのレンズ材料から２つのレンズを形成することを可能として、製造コストを低減できる。光学性能を向上させるためにレンズＬＮを若干大型としても、従来と比較して依然小型にできることから、光学性能の向上を容易に図れる。
【００２１】
投写光学系１０の構成は、シフト光学系であって共軸光学系であれば良く、本実施例で説明するものに限られない。投写光学系１０は、レンズＬＮの位置、形状、数等を適宜設定することができる。例えば、光軸ＡＸと光線とが交わる位置にレンズＬＮが配置される構成の場合、図３に示すように、反射部１３は、レンズＬＮに設けることができる。反射部１３は、レンズＬＮのうち光軸ＡＸに沿う面に形成されている。反射部１３とレンズＬＮとの間に空気の層が形成されることを防ぐために、反射部１３は、レンズＬＮ面に密着させることが望ましい。例えばアルミニウム等の高反射性部材をレンズＬＮ面に蒸着させることで、レンズＬＮ面に密着する反射部１３を形成できる。
【００２２】
レンズＬＮへ入射した光は、反射部１３で反射した後、レンズＬＮから出射する。これにより、光軸ＡＸに関して特定の側から光軸ＡＸに向かって進行する光を特定の側へ反射させることができる。なお、レンズＬＮの界面において光が臨界角以上の角度で入射する場合、レンズＬＮの界面における全反射により光を特定の側へ進行させることとしても良い。この場合、レンズＬＮの界面が反射部として機能する。
【００２３】
図４は、実施例１の変形例１に係る投写光学系３０の要部断面構成を示す。本変形例の投写光学系３０は、図１に示す投写光学系１０と比較して、前群レンズ３１を特定の側とは反対側である紙面下側に、後群レンズ３２及び反射部１３を特定の側である紙面上側に移動させている。投写光学系３０は、前群レンズ３１を構成するレンズＬＮについて光軸を一致させ、かつ後群レンズ３２を構成するレンズＬＮについて光軸を一致させている。このように光学素子を適宜移動させることで、所望の光学性能を備えた構成とすることができる。なお、前群レンズ３１、後群レンズ３２を単位としてレンズＬＮを移動させる他、レンズＬＮごとに移動させることとしても良い。
【００２４】
図５は、実施例１の変形例２に係る投写光学系４０の要部断面構成を示す。本変形例の投写光学系４０は、図１に示す投写光学系１０と比較して、前群レンズ４１に１つのレンズ４３を追加している。後群レンズ４２は、図１の投写光学系１０の後群レンズ１２と同様である。レンズ４３は、光軸を略一致させて配置された光学素子以外の光学素子である。図６に示す従来の投写光学系のうち、後群レンズ５２については、図２に示す後群レンズ２２と同様である。前群レンズ５１には、中心位置と光軸ＡＸとを略一致させて設けられたレンズＬＮの間に、光軸を一致させず配置された１つのレンズ５３が設けられている。
【００２５】
本変形例の投写光学系４０は、図６に示す構成のうち光軸ＡＸより特定の側半分に相当する部分が用いられている。このように光軸を略一致させて配置された光学素子以外の光学素子を適宜追加することで、所望の光学性能を備えた構成とすることができる。本実施例の各投写光学系は、レンズ以外の光学素子、例えばミラーを備える構成であっても良い。
【実施例２】
【００２６】
図７は、本発明の実施例２に係るプロジェクタ６０の概略構成を示す。プロジェクタ６０は、上記実施例１の投写光学系１０を備える。プロジェクタ６０は、画像信号に応じた光を投写させるフロント投写型のプロジェクタである。プロジェクタ６０は、壁面Ｗ近くのキャビネットＣ上に配置されている。プロジェクタ６０は、被照射面に近い位置、例えばスクリーン６６が配置された壁面Ｗから数十ｃｍ程度の位置から近接投写を行う。プロジェクタ６０は、光学エンジン６１を有する。
【００２７】
図８は、光学エンジン６１の概略構成を示す。固体光源である赤色（Ｒ）光用ＬＥＤ７１Ｒは、Ｒ光を供給する光源部である。Ｒ光用ＬＥＤ７１ＲからのＲ光は、コリメータレンズ７２で平行化された後、Ｒ光用空間光変調装置７３Ｒへ入射する。Ｒ光用空間光変調装置７３Ｒは、Ｒ光を画像信号に応じて変調する空間光変調装置であって、透過型液晶表示装置である。Ｒ光用空間光変調装置７３Ｒで変調されたＲ光は、色合成光学系であるクロスダイクロイックプリズム７４へ入射する。
【００２８】
固体光源である緑色（Ｇ）光用ＬＥＤ７１Ｇは、Ｇ光を供給する光源部である。Ｇ光用ＬＥＤ７１ＧからのＧ光は、コリメータレンズ７２で平行化された後、Ｇ光用空間光変調装置７３Ｇへ入射する。Ｇ光用空間光変調装置７３Ｇは、Ｇ光を画像信号に応じて変調する空間光変調装置であって、透過型液晶表示装置である。Ｇ光用空間光変調装置７３Ｇで変調されたＧ光は、Ｒ光とは異なる側からクロスダイクロイックプリズム７４へ入射する。
【００２９】
固体光源である青色（Ｂ）光用ＬＥＤ７１Ｂは、Ｂ光を供給する光源部である。Ｂ光用ＬＥＤ７１ＢからのＢ光は、コリメータレンズ７２で平行化された後、Ｂ光用空間光変調装置７３Ｂへ入射する。Ｂ光用空間光変調装置７３Ｂは、Ｂ光を画像信号に応じて変調する空間光変調装置であって、透過型液晶表示装置である。Ｂ光用空間光変調装置７３Ｂで変調されたＢ光は、Ｒ光、Ｇ光とは異なる側からクロスダイクロイックプリズム７４へ入射する。なお、光学エンジン６１は、光束の強度分布を均一化させる均一化光学系、例えば、ロッドインテグレータやフライアイレンズ、重畳レンズを用いる構成としても良い。
【００３０】
クロスダイクロイックプリズム７４は、互いに略直交するように配置された２つのダイクロイック膜７５、７６を有する。第１ダイクロイック膜７５は、Ｒ光を反射し、Ｇ光及びＢ光を透過させる。第２ダイクロイック膜７６は、Ｂ光を反射し、Ｒ光及びＧ光を透過させる。クロスダイクロイックプリズム７４は、それぞれ異なる側から入射したＲ光、Ｇ光及びＢ光を合成する。
【００３１】
透過型液晶表示装置としては、例えば高温ポリシリコンＴＦＴ液晶パネル（High  Temperature  Polysilicon；ＨＴＰＳ）を用いることができる。光学エンジン６１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクタ６０は、色光ごとに空間光変調装置を備える構成に限られない。プロジェクタ６０は、一の空間光変調装置により２つ又は３つの色光を変調する構成としても良い。また、光学エンジン６１は、光源部としてＬＥＤを用いる場合に限られない。光源部としては、例えば、ＬＥＤ以外の他の固体光源や、超高圧水銀ランプ等のランプを用いても良い。
【００３２】
図７に戻って、投写光学系１０は、光学エンジン６１の出射側に設けられている。非球面ミラー６４は、反射により投写光学系１０からの光を広角化させる広角化光学素子であって、非球面形状の曲面を有する。非球面ミラー６４は、投写光学系１０からの光を広角化させる機能、及び投写光学系１０からの光を折り曲げてスクリーン６６の方向へ進行させる機能を有する。プロジェクタ６０は、投写光学系１０からの光を非球面ミラー６４で広角化させることにより超短焦点を可能とする。これにより、近接投写が可能となる。
【００３３】
非球面ミラー６４は、例えば、樹脂部材等を有する基材上に反射膜を形成することにより構成できる。反射膜としては、高反射性の部材の層、例えばアルミニウム等の金属部材の層や誘電体多層膜等を用いることができる。また、反射膜の上には、透明部材を有する保護膜を形成することとしても良い。非球面ミラー６４は、曲面形状とすることで、光の折り曲げと広角化とを同時に行うことが可能となる。
【００３４】
投写光学系１０のみならず非球面ミラー６４によっても光を広角化させることで、投写光学系１０のみにより光を広角化させる場合よりも投写光学系１０を小型にすることができる。投写光学系１０及び非球面ミラー６４は、画像の拡大とスクリーン６６における結像とを行っている。投写光学系１０は、画像の拡大及びスクリーン６６における結像の機能を果たす。非球面ミラー６４は、画像の拡大の機能を果たす。非球面ミラー６４は、画像の歪みを補正できるように適宜変形させても良い。
【００３５】
筐体６７は、光学エンジン６１、投写光学系１０及び非球面ミラー６４を収納する。出射部６５は、画像信号に応じて変調された光を筐体６７からスクリーン６６へ向けて出射させる。出射部６５は、筐体６７に設けられた開口を透明部材により覆うことで構成されている。スクリーン６６は、出射部６５からの光を反射させる反射型のスクリーンである。スクリーン６６は、観察者が存在する所望の範囲において光を拡散可能とすることで、良好な視野角特性を持たせることが可能となる。
【００３６】
プロジェクタ６０は、キャビネットＣの他、例えば床面、机、ラック等に設置することとしても良い。プロジェクタ６０はコンパクトな構成であるため、容易に設置場所を確保することができる。壁面Ｗ近くにプロジェクタ６０を設置可能とすることで、狭い室内であっても大画面を表示することができる。プロジェクタ６０は、非球面ミラー６４を筐体６７からはみ出させることとしても良い。この場合、筐体６７には、出射部６５に代えて、非球面ミラー６４へ入射させる光を通過させる開口が形成される。
【００３７】
プロジェクタ６０は、投写光学系１０と非球面ミラー６４との間に、光路を折り曲げるためのミラーを設けることとしても良い。ミラーで約９０度光路を折り曲げる構成とする場合、光学エンジン６１及び投写光学系１０は、図７の紙面上下方向或いは紙面奥行き方向へ光を出射させるように配置される。これにより、光学エンジン６１から非球面ミラー６４までの各部をさらに壁面Ｗの近くに配置することが可能となる。
【００３８】
図９は、プロジェクタ６０の光学系を模式的に表したものである。投写光学系１０及び非球面ミラー６４は、光軸が略一致するように配置されている。スクリーン６６の法線Ｎは、投写光学系１０の光軸及び非球面ミラー６４の光軸と略平行である。投写光学系１０及び非球面ミラー６４は、いずれも共通の光軸ＡＸを持つ、いわゆる共軸光学系を構成している。プロジェクタ６０は、画像信号に応じて変調された光を光軸ＡＸに対して特定の側へシフトさせて進行させる、いわゆるシフト光学系を構成している。
【００３９】
具体的には、画像信号に応じて変調された光を光軸ＡＸに対して図９の紙面上側へシフトさせて進行させている。不図示の各空間光変調装置は、光軸ＡＸに関して特定の側に配置される。光学エンジン６１中のクロスダイクロイックプリズム７４の出射面に仮想的に形成される像面の中心法線は、光軸ＡＸに対して平行であり、かつ特定の側にシフトしている。かかる構成により、プロジェクタ６０は、スクリーン６６に対して大きな入射角をなす光を入射させる。入射角は、スクリーン６６の法線Ｎと入射光線とがなす角度である。
【００４０】
共軸光学系を採用することにより、通常の共軸系の設計手法を採用することが可能である。よって、光学系の設計工数を少なくし、かつ収差が少ない光学系を実現することができる。非球面ミラー６４は、光軸ＡＸに関して略回転対称な形状、例えば、円錐形状のうち頂点部以外の一部を切り取った形状とすることができる。非球面ミラー６４を光軸ＡＸに関して略回転対称な形状とすることで、非球面ミラー６４の光軸と他の構成の光軸とを容易に一致させることが可能となる。非球面ミラー６４は軸対称の非球面形状となることから、旋盤等の簡易な手法により加工を行うことができる。よって、非球面ミラー６４を容易かつ高い精度で製造することができる。
【００４１】
プロジェクタ６０は、投写光学系１０及び非球面ミラー６４を用いることで、画角θを少なくとも１５０度以上、例えば１６０度とする超広角光学系を採用している。さらに、超広角化させたうちの一部の角度範囲のみを使用するシフト光学系を採用することで、光の進行方向を揃えることが可能である。本実施例の場合、例えば、スクリーン６６における最小入射角は７０度、最大入射角は８０度となる。シフト光学系を採用することにより、スクリーン６６へ入射する光の角度差を１０度程度以内とすることが可能となる。
【００４２】
プロジェクタ６０は、上記の投写光学系１０を用いることで、光軸ＡＸに対して光を大きくシフトさせる場合に小型な構成とすることが可能となる。これにより、超短焦点、かつ光軸に対して光を大きくシフトさせる構成において、小型な構成にできるという効果を奏する。プロジェクタ６０は、上記の投写光学系１０を用いることで、物体面である空間光変調装置と像面であるスクリーン６６とが光軸ＡＸに対して同一の側にあるという特徴を有する。
【００４３】
プロジェクタ６０は、広角化光学素子として非球面ミラー６４を用いる他、超広角化レンズや回折光学素子等を用いることとしても良い。プロジェクタは、スクリーンの一方の面にレーザ光を供給し、スクリーンの他方の面から出射される光を観察することで画像を鑑賞する、いわゆるリアプロジェクタであっても良い。上記実施例１の投写光学系は、例えば撮像装置に用いられる撮像光学系に適用しても良い。
【産業上の利用可能性】
【００４４】
以上のように、本発明に係る投写光学系は、光軸に対して光を特定の側へシフトさせるプロジェクタに用いる場合に適している。
【図面の簡単な説明】
【００４５】
【図１】本発明の実施例１に係る投写光学系の要部断面構成を示す図。
【図２】従来の投写光学系の構成例を示す図。
【図３】レンズに反射部を設ける構成を示す図。
【図４】実施例１の変形例１に係る投写光学系の要部断面構成を示す図。
【図５】実施例１の変形例２に係る投写光学系の要部断面構成を示す図。
【図６】従来の投写光学系の構成例を示す図。
【図７】本発明の実施例２に係るプロジェクタの概略構成を示す図。
【図８】光学エンジンの概略構成を示す図。
【図９】プロジェクタの光学系を模式的に表した図。
【符号の説明】
【００４６】
１０  投写光学系、１１  前群レンズ、１２  後群レンズ、１３  反射部、１４  絞り、ＡＸ  光軸、ＬＮ  レンズ、２１  前群レンズ、２２  後群レンズ、３０  投写光学系、３１  前群レンズ、３２  後群レンズ、４０  投写光学系、４１  前群レンズ、４２  後群レンズ、４３  レンズ、５１  前群レンズ、５２  後群レンズ、５３  レンズ、６０  プロジェクタ、６１  光学エンジン、６４  非球面ミラー、６５  出射部、６６  スクリーン、６７  筐体、Ｃ  キャビネット、Ｗ  壁面、７１Ｒ  Ｒ光用ＬＥＤ、７１Ｇ  Ｇ光用ＬＥＤ、７１Ｂ  Ｂ光用ＬＥＤ、７２  コリメータレンズ、７３Ｒ  Ｒ光用空間光変調装置、７３Ｇ  Ｇ光用空間光変調装置、７３Ｂ  Ｂ光用空間光変調装置、７４  クロスダイクロイックプリズム、７５  第１ダイクロイック膜、７６  第２ダイクロイック膜、Ｎ  法線
【図１】
2008145728.tif 000003
【図２】
2008145728.tif 000004
【図３】
2008145728.tif 000005
【図４】
2008145728.tif 000006
【図５】
2008145728.tif 000007
【図６】
2008145728.tif 000008
【図７】
2008145728.tif 000009
【図８】
2008145728.tif 000010
【図９】
2008145728.tif 000011